(57)【要約】  各々が頂部係合式キャリアを形成する接続されたブランクのセットであって、前記ブランクは、マトリクス式に取外し可能に接続されており、各ブランクは、複数の頂部受容開口部を有し、第1のブランクの開口部のうちの2つの隣接した開口部のそれぞれの中心間の第1の距離(D1)は、第1のブランクのコーナ開口部の中心と第2のブランクの隣接したコーナ開口部の中心との間の第2の距離(D2)より短く、第1の距離(D1)は、第1のブランクのコーナ開口部の中心と第3のブランクの隣接したコーナ開口部の中心との間の第3の距離(D3)より短い、接続されたブランクのセット。
2021524423.tif 000002
【特許請求の範囲】
【請求項１】
各々が頂部係合式キャリアを形成する接続されたブランクのセットであって、前記ブランクは、マトリクス式に取外し可能に接続されており、各ブランクは、複数の頂部受容開口部を有し、第1のブランクの前記開口部のうちの2つの隣接した前記開口部のそれぞれの中心間の第1の距離(D1)は、前記第1のブランクのコーナ開口部の中心と第2のブランクの隣接したコーナ開口部の中心との間の第2の距離(D2)より短く、前記第1の距離(D1)は、前記第1のブランクの前記コーナ開口部の前記中心と第3のブランクの隣接したコーナ開口部の中心との間の第3の距離(D3)より短い、接続されたブランクのセット。
【請求項２】
前記第1の距離(D1)は、前記第1のブランクにより係合されるようになされている略円筒形の物品の最大直径(Dc)に略等しい、請求項1に記載のセット。
【請求項３】
各ブランクのコーナ半径(Rb)は、当該ブランクにより係合されるようになされている略円筒形の物品の最大直径(Dc)の半分より大きい、請求項1に記載のセット。
【請求項４】
前記コーナ半径(Rb)は、当該ブランクにより係合されるようになされている略円筒形の物品の前記最大直径(Dc)の半分より少なくとも1/8インチ(3.175mm)大きい、請求項3に記載のセット。
【請求項５】
前記第2の距離(D2)は、前記第3の距離(D3)に略等しい、請求項1に記載のセット。
【請求項６】
前記第2の距離(D2)および前記第3の距離(D3)の各々は、各ブランクのコーナ半径(Rb)の2倍に略等しい、請求項5に記載のセット。
【請求項７】
第4の距離(Rs)は、各タブ画定要素の外端部とそれぞれの開口部の中心との間に画定されており、前記第4の距離(Rs)は、当該ブランクにより係合されるようになされている略円筒形の物品の最大直径(Dc)の半分以下である、請求項1に記載のセット。
【請求項８】
指開口部の外形上の任意の点が、前記指開口部を取り巻く前記開口部のうちの任意の1つの前記中心の周囲に最大直径の半分(1/2Dc)に等しい半径により画定されている領域の外側に配設されている、請求項1に記載のセット。
【請求項９】
頂部係合式キャリアを形成するブランクであって、前記ブランクは、各々が略円筒形の物品の部分を受容するためのものである複数の開口部を含み、前記開口部のうちの2つの隣接した前記開口部の中心間の第1の距離(D1)は、前記物品の最大直径(Dc)に略等しく、前記ブランクのコーナ半径(Rb)は、前記物品の前記最大直径(Dc)の半分より大きい、ブランク。
【請求項１０】
前記コーナ半径(Rb)は、前記物品の前記最大直径(Dc)の半分より少なくとも1/8インチ(3.175mm)大きい、請求項9に記載のブランク。
【請求項１１】
第4の距離(Rs)は、各タブ画定要素の外端部と前記それぞれの開口部の前記中心との間に画定されており、前記第4の距離(Rs)は、当該ブランクにより係合されるようになされている略円筒形の物品の前記最大直径(Dc)の半分以下である、請求項9に記載のブランク。
【請求項１２】
各開口部の最大直径(Da)は、前記物品の上端部直径(Dn)より小さい、請求項9に記載のブランク。
【請求項１３】
指開口部の外形の任意の点が、前記指開口部を取り巻く前記開口部のうちの任意の1つの前記中心の周囲に前記最大直径の半分(1/2Dc)に等しい半径により画定されている領域の外側に配設されている、請求項9に記載のブランク。
【発明の詳細な説明】
【技術分野】
【０００１】
本発明は、カートンおよびカートンを形成するブランクに関する。より具体的には、本発明は、内部に物品を受容し保持する1つまたは複数の開口部を有する頂部把持型のキャリアを形成する複数の接続されたブランクに関するが、これに限定されるものではない。
【背景技術】
【０００２】
パッケージングの分野において、複数の物品を担持するためのカートンを設けることが知られている。カートンは、当該技術分野において周知されており、消費者が消費のための一群の物品を輸送し、保管し、アクセスすることを可能にするのに有用である。コストおよび環境への配慮のために、そのようなカートンまたはキャリアは、可能な限り少ない材料から形成され、かつ、それらが形成される材料において可能な限り廃棄物がないようにする必要がある。さらに考慮すべき事項は、カートンの強度ならびに大重量の物品の保持および輸送のためのその適合性である。カートンの内容物はカートン内でしっかり固定されていることが望ましい。
【０００３】
開口部がキャリアのパネルに形成されている頂部把持式物品キャリアを設けることが周知されており、タブが前記開口部から切って作り出される(are struck)。物品が開口部内に受容されると、該タブは前記パネルの平面から外へ変位し、前記タブは、物品のフランジまたはリップの概ね周囲で、物品に係合する。
【発明の概要】
【発明が解決しようとする課題】
【０００４】
ブランクの構造をキャリアに簡略化することが望ましく、複数の接続されたブランクがパッケージに同時に組み立てられることを可能にすることが本開示の目的である。該キャリアは、物品の負荷に耐えるように十分頑丈であるべきである。キャリアが、飲料缶などの、ただしこれに限定されない、略円筒形の物品をパッケージングすることができることが望ましく、それらの物品は流線型のまたは細い設計である。
【０００５】
本発明は、通常は板紙等から形成されるカートンの分野において改良をもたらすことを目指している。
【課題を解決するための手段】
【０００６】
本発明の第1の態様は、各々が頂部係合式キャリアを形成する接続されたブランクのセットであって、該ブランクは、マトリクス式に、共に取外し可能に接続されており、各ブランクは、複数の頂部受容開口部を有し、第1のブランクの該開口部のうちの2つの隣接した開口部のそれぞれの中心間の第1の距離D1は、第1のブランクのコーナ開口部の中心と第2のブランクの隣接したコーナ開口部の中心との間の第2の距離D2より短く、第1の距離D1は、第1のブランクのコーナ開口部の中心と第3のブランクの隣接したコーナ開口部の中心との間の第3の距離D3より短い、接続されたブランクのセットを提供する。
【０００７】
任意選択で、第1の距離D1は、第1のブランクにより係合されるようになされている略円筒形の物品の最大直径Dcに略等しい。
【０００８】
任意選択で、各ブランクのコーナ半径Rbは、そのブランクにより係合されるようになされている略円筒形の物品の最大直径Dcの半分より大きい。
【０００９】
任意選択で、コーナ半径Rbは、そのブランクにより係合されるようになされている略円筒形の物品の最大直径Dcの半分より少なくとも1/8インチ(3.175mm)大きい。
【００１０】
任意選択で、第2の距離D2は、第3の距離D3に略等しい。
【００１１】
任意選択で、第2の距離D2および第3の距離D3の各々は、各ブランクのコーナ半径Rbの2倍に略等しい。
【００１２】
任意選択で、第4の距離Rsは、各タブ画定要素の外端部と各開口部の中心との間に画定されており、第4の距離Rsは、そのブランクにより係合されるようになされている略円筒形の物品の最大直径Dcの半分以下である。
【００１３】
任意選択で、指開口部の外形上の任意の点は、指開口部を取り巻く開口部のうちの任意の1つの中心の周囲に最大直径の半分(1/2Dc)に等しい半径により画定されている領域の外側に配設されている。
【００１４】
本発明の第2の態様は、頂部係合式キャリアを形成するブランクであって、該ブランクは、各々が略円筒形の物品の部分を受容するためのものである複数の開口部を含み、開口部のうちの2つの隣接した開口部の中心間の第1の距離D1は、物品の最大直径Dcに略等しく、ブランクのコーナ半径Rbは、物品の最大直径Dcの半分より大きい、ブランクを提供する。
【００１５】
任意選択で、コーナ半径Rbは、物品の最大直径Dcの半分より少なくとも1/8インチ(3.175mm)大きい。
【００１６】
任意選択で、第4の距離Rsは、各タブ画定要素の外端部と各開口部の中心との間に画定されており、該第4の距離Rsは、そのブランクにより係合されるようになされている略円筒形の物品の最大直径Dcの半分以下である。
【００１７】
任意選択で、各開口部の最大直径Daは、物品の上端部直径Dnより小さい。
【００１８】
任意選択で、指開口部の外形の任意の点は、指開口部を取り巻く開口部のうちの任意の1つの中心の周囲に最大直径の半分(1/2Dc)に等しい半径により画定されている領域の外側に配設されている。
【００１９】
本願の範囲内で、先行する段落において、特許請求の範囲において、および/または下記の説明および図面において提示されている様々な態様、実施形態、実施例、特徴、および代替案が、単独でまたはそれらの任意の組合せで検討され得ることまたは採用され得ることが考えられ、または想定される。
【００２０】
一実施形態に関連して、または一実施形態に関して記載されている特徴または要素は、特徴の不適合が存在しない限り、あらゆる実施形態に適用可能である。一実施形態による1つもしくは複数の特徴または要素が、本明細書において開示されているその他の実施形態のいずれかに組み込まれるか、またはそれと組み合わせられてもよく、前記一実施形態から抽出される前記特徴または要素は、前記他の実施形態の1つもしくは複数の特徴または要素に加えてあるいはその代わりに含まれ得る。
【００２１】
本明細書において開示されている特徴または特徴の組合せが、当該実施形態の他の特徴から分離して抽出されてもよい。あるいは、ある実施形態の特徴または特徴の組合せが当該実施形態から除外されてもよい。
【００２２】
ここで、本発明の例示的実施形態が添付図面を参照して説明される。
【図面の簡単な説明】
【００２３】
【図１】各ブランクが第1の実施形態によるキャリアを形成するためのものである、複数の接続されたブランクの上方からの平面図である。
【図２】図1のブランクのうちの1つの上方からの平面図である。
【図２Ａ】図2のブランクの部分の拡大図である。
【図３】図2のブランクから形成されているカートンの斜視図である。
【図４】第1の実施形態のキャリアと共に使用するための一次製品容器の斜視図である。
【発明を実施するための形態】
【００２４】
パッケージ、ブランク、およびカートンの特定の実施形態の詳細な説明が本明細書において開示されている。当然のことながら、開示されている実施形態は、本発明のある態様が実施されることが可能である方法の例に過ぎず、本発明が具現化され得る方法の全てに関する網羅的なリストを示す訳ではない。本明細書において用いられている「例示的な(exemplary)」という用語は、説明、見本、モデル、またはひな型の役割を果たす実施形態を指すのに広く使用される。実際、当然のことながら、本明細書に記載されているパッケージ、ブランク、およびカートンは、様々な代替的形態で具現化され得る。図は必ずしも縮尺通りであるとは限らず、いくつかの特徴が、特定の構成要素の詳細を示すために誇張されているか、または最小化されている可能性がある。周知の構成要素、材料、または方法が、本開示を曖昧にすることを回避するために、必ずしも詳細に記載されているとは限らない。本明細書において開示されているいかなる特定の構造的詳細および機能的詳細も、限定と解釈されるべきではなく、単に特許請求の範囲の基礎として、および本発明を様々に使用することを当業者に教示するための代表的な基礎として解釈されるべきである。
【００２５】
図1を参照すると、図3に示されているように、図2に示されている、以下に物品Bと呼ばれる、限定されないがボトルまたは缶などの一群の一次製品を含有しかつ担持するカートンまたはキャリア90を形成することができる複数の接続されたブランク10a、10b、10c、10dの平面図が示されている。ブランク10a、10b、10c、10dは、少なくとも1つの一次製品容器またはパッケージをパッケージングするための二次パッケージを形成する。
【００２６】
本明細書において詳述されている実施形態では、「カートン」および「キャリア」という用語は、本発明の様々な特徴を説明するという非制限的目的のために、一次製品容器などの物品に係合し担持する容器を指す。本発明の教示は、テーパが付けられているおよび/または円筒形であるかもしれない、またはないかもしれない様々な製品容器に適用され得ることが考えられる。例示的容器は、ボトル(例えば、金属、ガラス、またはプラスチックのボトル)、缶(例えば、アルミニウム缶)、ブリキ缶、ポーチ、小包等を含む。
【００２７】
ブランク10a、10b、10c、10dは、適切な基板のシートから形成されている。本明細書において用いられている「適切な基板」という用語は、板紙、段ボール、ボール紙、プラスチック、それらの組合せ等のあらゆる種類の折曲げ可能なシート材料を含むことが理解されるべきである。適切な場合、例えば、以下により詳細に記載されているキャリア構造を設けるために、1つまたは他の数のブランクが使用され得ることを認識すべきである。
【００２８】
本明細書に記載されているパッケージング構造またはカートンは、その強度を増す材料で作製され得るかまたはコーティングされ得る板紙などのシート材料から形成され得る。そのようなシート材料の例が、WestRock Companyにより作製される引裂き耐性のNATRALOCK(登録商標)板紙である。該引裂き耐性材料は2つ以上の層により設けられて、パッケージの引裂き耐性の向上を助ける可能性があることに留意すべきである。通常、シート材料の一方の表面が他方の表面と異なる特性を有し得る。例えば、完成したパッケージから外に向いているシート材料の表面は特に滑らかである可能性があり、良好な印刷適性をもたらす粘土コーティングまたは他の表面処理などのコーティングを有する可能性がある。他方、内に向いているシート材料の表面は、コーティング、層、処理を施され得るか、あるいは引裂き耐性、良好な接着能力、ヒートシール適性、または他の所望の機能的特性の1つもしくは複数などの特性を与えるために別の方法で準備され得る。
【００２９】
図示の実施形態では、ブランク10a、10b、10c、10dは、例示的配列の例示的物品Bをパッケージングするカートンまたはキャリア90を形成するように構成されている。図示されている実施形態では、各ブランク10a、10b、10c、10dは、2×3マトリクスまたはアレイの形の配列を有するパッケージを形成しており、図示の実施形態では、3つの物品の2列が設けられており、物品Bは飲料缶である。該飲料缶は、流線型のまたは細い設計の12oz(355ml)缶であってもよく、すなわち、物品Bは、それらの全高に亘って実質的に同じ直径である。例示的物品Bが図4に示されており、該物品Bは最大直径または横寸法Dcを有する(該直径Dcは約2.25インチもしくは約58mmであり得る)。物品Bは、直径または横寸法Dn(直径Dnは約2.125インチまたは54.8mmであり得る)を有する上部または頂部クロージャTを含む。ネックNは外向きに突出しているフランジをもたらし、すなわちそれはキャリアと係合するためのアンダーカットを含み得る。頂部クロージャが物品Bの側壁に取り付けられて、フランジFをもたらす閉じ目または「縁」Cを形成し得る。本発明の実施形態では、物品Bの頂部クロージャTと本体Mとの間の直径の変化は7mm未満であり、5mm未満であってもよく、任意選択で4mm未満である。
【００３０】
本明細書において用いられている「流線型の」または「細い」という用語は、キャリア90と係合する頂部クロージャTと物品Bの本体Mとの間のそれらの横寸法の変化が殆どないかまたはない物品を指す。物品は略平行に側面を付けられているか、または略均一の直径である。
【００３１】
図1を参照すると、複数のブランク10a、10b、10c、10dが示されており、図示の実施形態では、2×2マトリクスまたはアレイで配列されている4つのブランク10a、10b、10c、10dが存在する。各ブランク10a、10b、10c、10dは、壊れ易いまたは分離可能な接続部42により、少なくとも2つの隣接して配設されているブランク10a、10b、10c、10dに接続されている。各ブランク10a、10b、10c、10dは、キャリア90の上壁または係合パネルを形成する主パネル12を含む(図3参照)。
【００３２】
主パネル12の各々が少なくとも1つの物品保持構造RT1、RT2、RT3、RT4、RT5、RT6を含む。図1の実施形態では、各主パネル12が複数の物品保持構造RT1、RT2、RT3、RT4、RT5、RT6、具体的には、2×3マトリクスまたはアレイで配列されている6つの物品保持構造RT1、RT2、RT3、RT4、RT5、RT6を含む。他の実施形態では、代替的配列、例えば、限定されないが、2×2マトリクスまたはアレイで配列されている4つの物品保持構造RT1、RT2、RT3、RT4、が使用されてもよく、そのような実施形態では、複数のブランク10a、10b、10c、10dは、2×3マトリクスまたはアレイを形成するように分離可能に接続されている6つのブランクを含み得る。別の代替的配列が、1×3構成で配列されている3つの物品保持構造RT1、RT3、RT5であってもよく、そのような実施形態では、複数のブランク10a、10b、10c、10dは、2×4マトリクスまたはアレイを形成するように分離可能に接続されている8つのブランクを含み得る。別の代替的配列が、1×2構成で配列されている2つの物品保持構造RT1、RT3またはRT1、RT2であってもよく、そのような実施形態では、複数のブランク10a、10b、10c、10dは、2×6もしくは3×4マトリクスまたはアレイを形成するように分離可能に接続されている12のブランクを含み得る。さらに別の代替的配列が、1×4構成で配列されている4つの物品保持構造RT1、RT2、RT1、RT2であってもよく、そのような実施形態では、複数のブランク10a、10b、10c、10dは、1×6構成を形成するように分離可能に接続されている6つのブランクを含み得る。さらに別の代替的配列が、2×4構成で配列されている8つの物品保持構造RT1、RT2、RT3、RT4、RT5、RT6、RT1、RT2であってもよく、そのような実施形態では、複数のブランク10a、10b、10c、10dは、1×3構成を形成するように分離可能に接続されている3つのブランクを含み得る。
【００３３】
物品保持構造RT1、RT2、RT3、RT4、RT5、RT6の各々が、構造上、実質的に類似しており、したがって、図2および図2Aに示されている第1の物品保持構造RT1を参照して詳細に記載される。図2は、複数のブランク10a、10b、10c、10dから分離された単一のブランク10を示す。図2Aはブランク10の拡大された部分を示す。
【００３４】
第1の物品保持構造RT1は開口部A1を含む。該開口部A1は11面多角形または11角形である。他の実施形態では、他の多角形形状が使用され得る。
【００３５】
複数の物品係合タブ16、18、20が開口部A1の外縁の周囲に配置されている。各タブ16、18、20は主パネル12に蝶番のように接続されている(is hinged)。
【００３６】
各タブ16、18、20は、直線の切れ目11により、その隣接物から分離されている。このようにして、各タブ16、18、20は第1の側縁部19と第2の側縁部21とを含む。各タブ16、18、20は、蝶番のように接続されている縁部の反対側の自由端縁部23を含む。該自由端縁部23は、開口部A1内で物品Bまたはその少なくとも一部を保持する係合縁部を形成している。自由端縁部23は各々、第1の開口部A1の多角形形状の辺を画定している。タブ16、18、20の側縁部を画定している直線の切れ目11の各々は、第1の開口部A1の多角形形状の頂点または角部から延在している。直線の切れ目11は、第1の開口部A1の多角形形状の頂点の各々を通過する概念的円形に対して実質的に半径方向に配置され得る。直線の切れ目11は、第1の開口部A1の多角形形状の頂点または角部と交わる第1の近位端を含む。直線の切れ目11は第2の遠位端を含む。
【００３７】
複数の物品係合タブ16、18、20は一連のまたは一組の第1の物品係合タブ16と、一連のまたは一組の第2の物品係合タブ18と、一連のまたは一組の第3の物品係合タブ20とを含む。
【００３８】
一組の第1の物品係合タブ16は、主パネル12上に、物品Bが第1の物品保持構造RT1内に受容された時に物品係合タブが最大の応力または変形に晒される領域内に配置されている。
【００３９】
第1の弓状の切れ目26が、第1の物品係合タブ16の側縁部を画定している直線の切れ目11の各々の近位に配設されている。各第1の弓状の切れ目26は、一対の隣接した第1の物品係合タブ16間に接続部28または「切り目」を画定するために、直線の切れ目11の第2の遠位端から離間されている。
【００４０】
一組の第3の物品係合タブ20は、主パネル12上に、物品Bが第1の物品保持構造RT1内に受容された時に物品係合タブが最小の応力または変形に晒される領域内に配置されている。
【００４１】
第3の弓状の切れ目22が、第3の物品係合タブ20の側縁部を画定している直線の切れ目11の各々の近位に配設されている。各第3の弓状の切れ目22は、一対の隣接した第3の物品係合タブ20間に接続部28または「切り目」を画定するために、直線の切れ目11の第2の遠位端から離間されている。それらの接続部28または「切り目」は、物品Bが開口部A1、A2、A3、A4、A5、A6内へ挿入された後でも、一対の隣接したタブ16、18、20間の接続部を維持するために設けられている。接続部28は各タブ16、18、20を次の隣接したタブ16、18、20と接続し、それにより各タブ16、18、20が概念的な線P-P'により示されている軸を中心として揺動することもしくは回転することを防止するかまたは抑制するか、あるいはそのような揺動または回転に対抗して少なくとも緩和する。
【００４２】
一組の第2の物品係合タブ18は、第1の物品係合タブ16の1つと第3の物品係合タブ20の1つとの間の移行を実現するために、主パネル12上に配置されている。
【００４３】
第2の弓状の切れ目24、25が、第2の物品係合タブ18の各々を隣接した第3の物品係合タブ20から分離する切れ目11の近位に配設されている。
【００４４】
各第2の弓状の切れ目24、25が、第2の物品係合タブ18の各1つとそれに隣接した第3の物品係合タブ20との間の接続部28または「切り目」を画定するために、直線の切れ目11の第2の遠位端から離間されている。
【００４５】
第1の弓状の切れ目22および第3の弓状の切れ目26の各々が、それが関連する直線の切れ目の周辺に対称に配置されている。第2の弓状の切れ目24、25の各々は直線の切れ目11の1つの周辺に非対称に配置されている。
【００４６】
第1の物品係合タブ16、第2の物品係合タブ18、および第3の物品係合タブ20が主パネル12の平面から外へ変位すると、第1の弓状の切れ目26、第2の弓状の切れ目24、25、および第3の弓状の切れ目22が主パネル12の応力緩和をもたらす。
【００４７】
第1の弓状の切れ目26および第3の弓状の切れ目22は、それらが関連する各直線の切れ目11の周辺に対称に配置されている。第1の弓状の切れ目26は第3の弓状の切れ目22より寸法が大きい。第1の弓状の切れ目26は第1の曲率半径を含み、第3の弓状の切れ目22は第2の曲率半径を含み、第1の曲率半径は第2の曲率半径より大きい。
【００４８】
第2の切れ目24、25の各々が、それが関連する各直線の切れ目11の周辺に非対称に配置されている。第2の切れ目24、25は、互いに隣接して配置されている第1の部分と第2の部分とを含む。該第1の部分は第2の物品係合タブ18の近位に配設されており、第2の部分は第3の物品係合タブ20の近位に配設されている。第2の切れ目24、25の各々の第1の部分は第1の曲率半径を含み、第2の切れ目24、25の各々の第2の部分は第2の曲率半径を含み、第1の曲率半径は第2の曲率半径より大きい。
【００４９】
第2の切れ目24、25は、互いに隣接して配置されている、第1の弓状の切れ目26の2分の1と第3の弓状の切れ目22の2分の1とを含むと考えられ得る。
【００５０】
第2の切れ目24、25は、非対称「C」形切込みを形成しており、一方、第1の切れ目26および第3の切れ目22は対称「C」形切込みを形成している。第2の切れ目24、25は、第1の物品係合タブ16の変位時により高い応力に晒される、主パネル12の第1の領域と、第3の物品係合タブ20の変位時により低い応力に晒される、主パネル12の第2の領域との間の境界で使用されている。物品Bが各開口部A1、A2、A3、A4、A5、A6内へ挿入された場合、主パネル12のより低い応力領域内に配設されている第3のタブ20よりも、第1のタブ16がより高い曲げ応力を受けるので、主パネル12のより高い応力領域はこれらの第1のタブ16が配置されている所に発生する。
【００５１】
第3の物品係合タブ20の各々が、主パネル12に設けられている第2の直線の切れ目17により部分的に画定されている。
【００５２】
各第2の直線の切れ目17が、一対の隣接した弓状の切れ目26、24、25、22の各々と離間された関係にある一対の隣接した弓状の切れ目26、24、25、22間に配設されている。第2の物品係合タブ18の1つに隣接した第3の物品係合タブ20の各々は、第1の弓状の切れ目26と第2の弓状の切れ目24、25の両方に対して離間された関係にある、第1の弓状の切れ目26と第2の弓状の切れ目24、25との間に配設されている第2の直線の切れ目17を含む。残りの第3の物品係合タブ20は、一対の隣接した第1の弓状の切れ目26の各々と離間された関係にある、一対の隣接した第1の弓状の切れ目26間に配設されている第2の直線の切れ目17を含む。
【００５３】
第2の直線の切れ目17は、主パネル12に対する第3の物品係合タブ20の各々の折曲げを容易にする。
【００５４】
第2の直線の切れ目17は、第3の物品係合タブ20の各々がそれにより主パネル12に蝶番のように接続される、真っ直ぐなまたは直線の折り目線17を少なくとも部分的に画定している。
【００５５】
図示の実施形態では、第1の物品保持構造RT1は、開口部A1の外縁の周囲に配置されている11のタブ16、18、20を含む。
【００５６】
任意選択で、複数の物品係合タブ16、18、20は、主パネル12上のそれらの位置に従って寸法が変化し得る。第1の物品係合タブ16は第1の幅を有していてもよく、第2の物品係合タブ18は第2の幅を有していてもよく、第3の物品係合タブ20は第3の幅を有していてもよい。該第3の幅は第2の幅より大きい可能性があり、該第2の幅は第1の幅より大きい可能性がある。このようにして、第1のタブ16の係合縁部E1、E2を形成する自由端縁部23は、寸法が、第2のタブ18もしくは第3のタブ20の自由端縁部23または係合縁部より小さい。
【００５７】
図示の実施形態では、主パネル12の領域内に配置されておりかつ物品Bが物品保持構造RT1、RT2、RT3、RT4、RT5、RT6内に受容されると最大の応力または変形に晒される物品係合タブ16、18、20は、寸法が、最小の応力または変形に晒される、主パネル12の領域内に配置されている物品係合タブ16、18、20より小さい。
【００５８】
主パネル12は、任意選択で、ハンドル構造を含み得る。該ハンドル構造は一対のハンドル開口部Hを含み得る。該一対のハンドル開口部Hの各々が、主パネル12から切り取られる。一対のハンドル開口部Hのうちの1つが、第1の対の物品保持構造RT1、RT2と第2の対の物品保持構造RT3、RT4との間の中心に配設されている領域内に配置されている。一対のハンドル開口部Hのうちの前記1つは、物品Bの最大直径Dc以上の距離だけ、開口部A1、A2、A3、A4の各々の中心から間隔を空けられている外縁を含む。一対のハンドル開口部Hのうちの他方の1つは、第2の対の物品保持構造RT3、RT4と第3の対の物品保持構造RT5、RT6との間の中心に配設されている領域内に配置されている。一対のハンドル開口部Hの前記他方の1つは、物品Bの最大直径Dc以上の距離だけ、開口部A3、A4、A5、A6の各々の中心から間隔を空けられている外縁を含む。
【００５９】
任意選択で、主パネル12の側縁部および/または端縁部は曲線形状または波形状に整えられていてもよい。
【００６０】
主パネル12の角部は丸く、該角部は、曲率半径Rbを有する円弧を画定している。該円弧は、一番端の物品保持構造RT1、RT2、RT5、RT6の開口部A1、A2、A5、A6の中心に中心が置かれている。
【００６１】
主パネル12は、少なくとも、共に積層されている板紙基板と引裂き耐性層とを含む。それは、任意選択で、板紙基板と引裂き耐性層との間に接着層を含む。板紙基板の材料は、例えば重量が上方へ約10ptから、好ましくは約11ptから、約14ptまでに及ぶ、任意の従来の板紙から選択され得る。そのような基板の例が、WestRock Companyにより製造される12ポイントSBSボードまたはCNKボードである。板紙基板は、漂白ボードまたは非漂白ボードであり得る。ボードは少なくとも一面、任意選択で積層の反対側の面において、印刷方法およびボード組成物との適合性のために選択される従来のコーティングでコーティングされていてもよい。
【００６２】
引裂き耐性層は、板紙基板のコーティングされていない面を覆って配設されてもよく、ポリマー材料で形成され、基板に固定され得る。引裂き耐性層は該積層構造に強靱性を与える。適切な引裂き耐性材料が、引裂き耐性積層シート材料、例えばn軸配向フィルムの層を含み得るNATRALOCK(登録商標)、例えば2軸延伸ポリエステル、延伸ナイロン、クロスラミネートポリオレフィンまたは高密度ポリオレフィンであるMYLAR(登録商標)を含み得るが、それらに限定されない。これらの材料の該延伸およびクロスラミネートの構造は引裂き耐性特性の一因になる。また、引裂き耐性の原因は、押出メタロセン腐食ポリエチレン(mPE)などの引裂き耐性材料の化学的性質にある可能性がある。
【００６３】
あるいは、引裂き耐性層は直鎖状低密度ポリエチレン(LLDPE)の層であり得る。直鎖状低密度ポリエチレン(LLDPE)またはmPEが使用される実施形態では、接着層を組み込む必要がない。高レベルの引裂き耐性を有する他の適切な材料も使用され得る。
【００６４】
接着層は、低密度ポリエチレン(LDPE)などのポリオレフィン材料で形成され得る。接着層は基板と引裂き耐性層との間に配置されて、該引裂き耐性層を基板に固定してもよい。
【００６５】
ブランク10a、10b、10c、10dに対する物品Bの位置は概念的な線CPにより示されている。該概念的な線CPは、ブランク10a、10b、10c、10dに対する図4に示されている物品Bの本体の円筒壁の位置を示す。図1の実施形態では、複数のブランク10a、10b、10c、10dに対する24個の物品Bの位置が示されている。物品Bは6個の物品の4つの異なる群内に配設されている。
【００６６】
各物品Bがブランク10a、10b、10c、10dのうちの1つの物品保持構造RT1、RT2、RT3、RT4、RT5、RT6の開口部A1、A2、A3、A4、A5、A6の1つと位置合わせされる。物品Bの管軸は開口部A1、A2、A3、A4、A5、A6の1つの中心と正確に合っている。
【００６７】
物品群と共にある各物品Bは、少なくとも2つの隣接物と接触してまたは少なくともごく近接して配設されている。1群内の物品Bは隣接した群内の最も近い隣接した物品Bから距離zだけ離間されている。これは、複数のブランク10a、10b、10c、10dが物品群全てに同時に適用された場合、隣接して配設されているブランク10a、10b、10c、10dの各々が、物品Bの周囲に主パネル12の十分に厚い部分をもたらすことを可能にする。物品Bの本体Mの側壁に対する上端クロージャおよび/またはネックとの間の直径に差異が殆どないかまたはない、図4に示されている「流線型の」または「細い」設計の物品をパッケージングする場合、物品群の間隔を距離zだけ空けることは特に重要である。
【００６８】
図2に示されている通り、各ブランク10a、10b、10c、10dが最大幅Wを含む。主パネル12は、それが収容する一群の物品Bの幅よりも広いようになされており、主パネル12の縁部は物品Bの円筒形側壁CPの位置から距離yだけ間隔を空けられており、ここで、y=(1/2z)である。
【００６９】
複数のブランク10a、10b、10c、10dは最大幅2Wを含む。
【００７０】
図2に示されている通り、各ブランク10a、10b、10c、10dは最大長さLを含む。主パネル12は、それが収容する一群の物品Bの長さよりも長いようになされており、主パネル12の縁部は物品Bの円筒形側壁CPの位置から距離yだけ間隔を空けられており、ここで、y=(1/2z)である。
【００７１】
複数のブランク10a、10b、10c、10dは最大長さ2Lを含む。
【００７２】
このようにして、主パネル12の外周は、平坦なブランク形態において、図2に示されているように、距離y以上の距離で、一群の物品Bから間隔を空けられている。
【００７３】
したがって、主パネル12は、物品群を取り巻く境界領域を含む。
【００７４】
開口部A1、A2、A3、A4、A5、A6は最大横寸法または最大直径Daを有する。
【００７５】
所定のブランク10a、10b、10c、10dの第1の開口部A1、第2の開口部A2、第3の開口部A3、第4の開口部A4、第5の開口部A5、第6の開口部A6のうちの任意の1つの中心は、前記ブランク10a、10b、10c、10dの開口部A1、A2、A3、A4、A5、A6の隣接した1つの中心から寸法D1だけ間隔を空けられており、寸法D1はDcに略等しい(D1=Dc)可能性がある。所定の物品群の物品Bの円筒軸は同様に離間されている可能性がある。
【００７６】
第1のブランク10aの第1の開口部A1の中心は、第2のブランク10bの隣接した開口部A2の中心から寸法D3だけ間隔を空けられており、該寸法D3は寸法Dcと寸法zとの合計に略等しい可能性がある(D3=Dc+z)。各物品Bの円筒軸は同様に離間されている可能性がある。
【００７７】
第1のブランク10aの第1の開口部A1の中心は、第3のブランク10cの隣接した開口部A5の中心から寸法D2だけ間隔を空けられており、該寸法D2は寸法Dcと寸法zとの合計に略等しい可能性がある(D2=Dc+z)。各物品Bの円筒軸は同様に離間されている可能性がある。
【００７８】
第1の保持構造RT1の切れ目26は、第3の保持構造RT3の切れ目26から少なくとも距離xだけ間隔を空けられるように配置されている。各保持構造RT1、RT2、RT3、RT4、RT5、RT6の切れ目26は、隣接した保持構造RT1、RT2、RT3、RT4、RT5、RT6の切れ目26から少なくとも距離xだけ間隔を空けられるように配置されている。
【００７９】
開口部A1、A2、A3、A4、A5、A6の1つの中心と、前記開口部A1、A2、A3、A4、A5、A6を取り巻くタブ16、18、20の各1つの外端部との間の距離は寸法Rsにより与えられる。タブ16、18、20の各1つの外端部は径方向の切れ目11の遠位端により画定され得る。距離Rsは、物品Bの最大直径Dcの半分より短いかまたはそれに等しい(Rs≦1/2Dc)。距離Rsは、開口部A1、A2、A3、A4、A5、A6の最大直径Daの半分より長い(Rs>1/2Da)。
【００８０】
物品保持構造RT1、RT2、RT3、RT4、RT5、RT6は各々、開口部A1、A2、A3、A4、A5、A6の各1つからかつ各開口部A1、A2、A3、A4、A5、A6に関連する複数の物品係合タブ16、18、20から部分的に形成されている開口を画定している。開口は、中に受容される物品Bの最大直径Dcより小さい可能性がある直径または最大横寸法を含む。
【００８１】
図1を再度参照すると、ブランク10a、10b、10c、10dの角部の各々の形状が丸い可能性がある。該丸い角部はコーナ半径Rbにより画定され得る。コーナ半径Rbは物品Bの最大直径Dcの半分より大きい(Rb>1/2Dc)。いくつかの実施形態では、コーナ半径Rbは物品Bの最大直径Dcの半分より1/8インチ(3.175mm)大きく、他の実施形態では、コーナ半径Rbは物品Bの最大直径Dcの半分より1/8インチ(3.175mm)大きい。
【００８２】
寸法D2、D3はコーナ半径Rbの2倍に略等しい(D2=D3≒2Rb)可能性がある。
【００８３】
寸法D2、D3は寸法D1より大きい(D1<D2; D1<D3)。
【００８４】
ハンドル開口部Hの各々が4つの隣接して配設されている物品B間の空所と正確に合っているようになされている。ハンドル開口部Hの各々は、主パネル12の縁部を画定している外形を含む。
【００８５】
複数のブランク10a、10b、10c、10dの各々が、接続橋部分または接続切り目42により、該複数のブランク10a、10b、10c、10dの隣接して配設されているものと分離可能に接続されている。隣接して配設されているブランクは、ブランク10a、10b、10c、10dの外縁部の短い直線部分40(図2参照)に亘って接触している可能性がある。
【００８６】
ブランク10からキャリア90の構造に戻って、複数のブランク10a、10b、10c、10dは複数群の物品Bに適用され得る。複数のブランク10a、10b、10c、10dは複数群の物品に対して下げられている。複数のブランク10a、10b、10c、10dの各々の物品保持構造RT1、RT2、RT3、RT4、RT5、RT6の各々は、複数群の物品Bの1つの各物品Bと位置合わせされる。物品Bの部分が主パネル12を通過する。物品保持構造RT1、RT2、RT3、RT4、RT5、RT6の各々のタブ16、18、20は、主パネル12の平面から外に折り曲げられ、物品Bの縁C(フランジFをもたらし得る、図4参照)の下方に係合する。このようにして、タブ16、18、20は、物品Bを把持するかまたは保持し、物品Bが主パネル12から非意図的に分離することを防止するかまたは抑制する。組み立てられたキャリア90は図3に示されている。
【００８７】
特に図3を参照すると、ブランク10a、10b、10c、10dの各々が頂部係合式キャリア90を形成しており、その1つだけが示されており、各々が各物品Bの部分を受容している開口部A1、A2、A3、A4、A5、A6を含む主パネル12を含む。主パネル12は、第1および第２の開口部A1、A2、A3、A4、A5、A6の各々を巡って形成されている環状の一連のタブ16、18、20をさらに含む。物品Bに当接して担持するために、物品Bが各開口部A1、A2、A3、A4、A5、A6内に受容されると、タブ16、18、20が折り目線31の周辺で主パネル12の平面から外へ降伏するように、各環状の一連のタブ16、18、20は主パネル12に接続されている。
【００８８】
キャリア90の別の随意の特徴は、ブランク10a、10b、10c、10dの各々が複数のブランク10a、10b、10c、10dから分離されると、主パネル12が、キャリア90の他の部分が接続されていない外周により画定されていることである。すなわち、キャリア90は他のパネル、例えば、限定されないが、物品群の側面の周囲に延在する側壁パネルまたは端壁パネルへの接続がない。したがって、主パネル12の外周はその全体が自由な切断部または蝶番のように接続されていない縁部により画定されている。
【００８９】
キャリア90の別の随意の特徴は、主パネル12が、凸状に湾曲した縁部および凹状に湾曲した縁部を含む外周により画定されていることであり、凸状に湾曲した縁部の曲率半径は凹状に湾曲した縁部の曲率半径に略等しい。
【００９０】
本開示は、改良された物品保持構造を有する頂部係合型のキャリアを提供する。詳細には、該保持構造は、物品の挿入時に降伏する物品係合タブを含む。タブは物品と係合して、物品をキャリアのパネル内に保持するかまたは固定する。タブの構造はキャリアのパネル内のタブの位置によって決まる。最大応力に晒されるそれらのタブ、通常はパネルの内部領域内にまたは隣接した保持構造のタブにごく近接して配設されているものは、切れ目の形の応力解消機構を設けられている。該切れ目はタブの側縁部の近位に設けられており、タブと該タブがそれから切って作り出されるかまたは形成されるパネルとの間の折り目線を断続するかまたは画定している。
【００９１】
タブの寸法も、キャリアのパネル内でのその位置によって決まる可能性がある。より高い応力領域内に配設されているそれらのタブは、幅が、より小さい応力に晒されるタブより小さい可能性がある。
【００９２】
キャリアは、同様になされている少なくとも1つのさらなるブランクと同時に、一群の物品に適用されるようになされているブランクから形成されている。該ブランクおよび該さらなるブランクは、それらの各複数群の物品への適用時、互いに分離可能に存在する。ブランクは、収容する一群の物品を取り巻く縁またはへりを形成している突出縁部を含む。
【００９３】
本明細書において用いられている「頂部の」、「底部の」、「基部の」、「前部の」、「後部の」、「端部の」、「側部の」、「内側の」、「外側の」、「上方の」、「下方の」などの方向の言及が、必ずしも各パネルをそのような配向に限定するとは限らず、単にこれらのパネルを別のものと区別するのに役立つだけである可能性があることが認識される。
【００９４】
本明細書において用いられている「蝶番のような接続」および「折り目線」という用語は、ブランクの蝶番特徴を画定し、互いに対するブランクの部分の折曲げを容易にし、または別の方法でブランクの最適なパネル折曲げ位置を示すあらゆる種類の線を指す。「蝶番のような接続」への任意の言及が、必ずしも単一の折り目線のみを指すと解釈されるべきではなく、実際、蝶番のような接続が2つ以上の折り目線から形成されることが可能であり、該2つ以上の折り目線の各々は、真っ直ぐな/直線の形状または湾曲した/曲線の形状のどちらかであり得る。直線の折り目線が蝶番のような接続を形成した場合、それらは互いに平行に配設され得るか、または互いに対して若干ある角度に曲げられ得る。曲線の折り目線が蝶番のような接続を形成した場合、それらは互いに交差して、曲線の折り目線により取り巻かれている領域内に成形パネルを画定し得る。そのような蝶番のような接続の典型的な例が、それらが間に楕円形パネルを画定するように、2点で交差する一対のアーチ形または弓形の折り目線を含み得る。蝶番のような接続が1つまたは複数の直線の折り目線と1つまたは複数の曲線の折り目線とから形成され得る。そのような蝶番のような接続の典型的な例が、直線の折り目線と、それらが間に半月形パネルを画定するように2点で交差するアーチ形または弓形の折り目線との組合せを含み得る。
【００９５】
本明細書において用いられている「折り目線」という用語は、以下の:ミシン目線、エンボス線、デボス線、目打ち線、短スリット線、ハーフカット線、単一ハーフカット、断続切れ目、整列スリット線(line of aligned slits)、ミシン目線、および前述の選択肢の任意の組合せのうちの1つを指す可能性がある。
【００９６】
蝶番のような接続および折り目線が各々、穿孔、目打ち線、短スリット線、ハーフカット線、単一ハーフカット、切れ目、断続切れ目、スリット、ミシン目、それらの任意の組合せ等を含む、ブランクの基板に形成される要素を含み得ることを理解すべきである。該要素は、所望の機能性をもたらすように特定の寸法に作られ、配置されることが可能である。例えば、目打ち線が、折り目線および/または分離線を画定する脆弱度で、特定の寸法に作られるか、または設計されることが可能である。該目打ち線は、折曲げを容易にしかつ破壊に耐えるように設計されて、折曲げを容易にしかつさらなる努力での破壊を容易にするかまたはほんの少しの努力での破壊を容易にすることが可能である。
【００９７】
本明細書において用いられている「in registry with(〜と正確に合っている)」という句は、2つの重なるパネルのうちの第1のものに形成されている開口部と2つの重なるパネルのうちの第2のものに形成されている第2の開口部などの、立てられたカートン内の2つ以上の要素の位置合わせを指す。互いに正確に合っているそれらの要素は、重なるパネルの厚さの方向に互いに位置合わせされ得る。例えば、第1のパネルの開口部が、該第1のパネルと重なる配列で配置されている第2のパネルの第2の開口部「と正確に合っている」場合、開口部の縁部は第2の開口部の縁部の少なくとも部分に沿って延在していてもよく、第1のパネルおよび第2のパネルの厚さの方向に第2の開口と位置合わせされていてもよい。
【符号の説明】
【００９８】
10a、10b、10c、10d  ブランク
11  直線の切れ目
12  主パネル
16  第1の物品係合タブ
17  第2の直線の切れ目
18  第2の物品係合タブ
19  (タブの)第1の側縁部
20  第3の物品係合タブ
21  (タブの)第2の側縁部
22  第3の弓状の切れ目
23  自由端縁部
24、25  第2の弓状の切れ目
26  第1の弓状の切れ目
28  接続部
31  折り目線
90  カートン、キャリア
A1  第1の開口部
A2  第2の開口部
A3  第3の開口部
A4  第4の開口部
A5  第5の開口部
A6  第6の開口部
B  物品
C  閉じ目、縁
F  フランジ
H  ハンドル開口部
L  最大長さ
M  本体
N  ネック
RT1、RT2、RT3、RT4、RT5、RT6  物品保持構造
T  上部クロージャ、頂部クロージャ
W  最大幅
【図１】
2021524423.tif 000003
【図２−２Ａ】
2021524423.tif 000004
【図３】
2021524423.tif 000005
【図４】
2021524423.tif 000006
【国際調査報告】
2021524423.tif 000007
2021524423.tif 000008